(57)【要約】【課題】ブラシヘッドの着脱が容易に行なえるようにする。【解決手段】ブラシ７を植設した磁性体からなるブラシヘッド８をマグネット１４を介してブラシホルダー３に着脱するようにしたバリ取り用ブラシにおいて、前記ブラシホルダー３に回転可能なカム部材１１を取り付け、前記ブラシヘッド８を前記マグネット１４に磁着したときにその一片が前記カム部材１１に当接するように装着され、前記カム部材１１を回転して前記ブラシヘッド８の一片を押圧することにより、前記ブラシヘッド８を前記ブラシホルダー３から離脱するようにしたバリ取り用ブラシである。【選択図】図１
2008000853.tif 000002
【特許請求の範囲】
【請求項１】
ブラシを植設した磁性体からなるブラシヘッドをマグネットを介してブラシホルダーに着脱するようにしたバリ取り用ブラシにおいて、前記ブラシホルダーに回転可能なカム部材を取り付け、前記ブラシヘッドを前記マグネットに磁着したときにその一片が前記カム部材に当接するように装着され、前記カム部材を回転して前記ブラシヘッドの一片を押圧することにより、前記ブラシヘッドを前記ブラシホルダーから離脱するようにしたことを特徴としたバリ取り用ブラシ。
【請求項２】
前記カム部材は、前記ブラシホルダーの外周縁より取り付けられたものであることを特徴とした請求項１記載のバリ取り用ブラシ。
【請求項３】
前記ブラシヘッドの前記マグネットへの磁着は、前記マグネットの中心軸と、前記ブラシヘッドの中心軸が偏心するようになされるものであることを特徴とした請求項１または２記載のバリ取り用ブラシ。
【請求項４】
ブラシを植設した磁性体からなるブラシヘッドをマグネットを介してブラシホルダーに着脱するようにしたバリ取り用ブラシにおいて、前記ブラシホルダーは上板と下板とよりなり、前記上板には前記マグネットを固着し、前記下板には前記マグネットに対向して前記ブラシヘッドが装着可能でしかもその装着位置を規制する位置規制部材を有する装着孔を形成し、さらに前記上板と前記下板との間には緩衝部材を介在させ、前記ブラシヘッドを前記装着孔を介して前記マグネットに磁着させたときに、前記上板と前記下板とを離間させることによって、前記ブラシヘッドを前記ブラシホルダーから離脱するようにしたことを特徴としたバリ取り用ブラシ。
【発明の詳細な説明】
【技術分野】
【０００１】
本発明は、バリ取り用ブラシの改良に関するものである。
【背景技術】
【０００２】
ブラシをマグネットを介して保持するようにしたバリ取り用ブラシとしては、実公平２−３０２２４に開示のものがある。このブラシは、図７に示すように、セグメントブラシ７を密植したブラシヘッド８をマグネット１４に着脱自在に保持するように構成している。ブラシが磨耗したときは、各セグメントブラシ７を下方へ引き抜くようにして、ブラシヘッド８をマグネット１４から引き離す。そして新しいブラシが密植されたブラシヘッド８を再度、マグネット１４に磁着して、次のバリ取りに備えるのである。
【０００３】
しかしながらこのバリ取り用ブラシには次のような問題があった。即ち、ブラシを長時間使用すると、対象ワークの研磨粉やブラシの磨耗粉がミスト状に舞い上がってブラシヘッド８とブラシホルダー３との嵌合部に入り込んで行く。磨耗粉ミストが堆積すると、ブラシヘッド８がブラシホルダー３に噛み込んでマグネット１４から引き離せなくなることがあった。
【特許文献１】実公平２−３０２２４号公報
【発明の開示】
【発明が解決しようとする課題】
【０００４】
以上より本発明が解決しようとする課題は、ブラシホルダー３とブラシヘッド８との間に磨耗粉ミストが入り込んでも、ブラシヘッド８の着脱が容易に行なえることを目的とするものである。
【課題を解決するための手段】
【０００５】
上記課題を解決するために請求項１の発明は、ブラシを植設した磁性体からなるブラシヘッドをマグネットを介してブラシホルダーに着脱するようにしたバリ取り用ブラシにおいて、前記ブラシホルダーに回転可能なカム部材を取り付け、前記ブラシヘッドを前記マグネットに磁着したときにその一片が前記カム部材に当接するように装着され、前記カム部材を回転して前記ブラシヘッドの一片を押圧することにより、前記ブラシヘッドを前記ブラシホルダーから離脱するようにしたことを特徴とした。次に請求項２の発明は、前記カム部材は、前記ブラシホルダーの外周縁より取り付けられたものであることを特徴とした。次に請求項３の発明は、前記ブラシヘッドの前記マグネットへの磁着は、前記マグネットの中心軸と、前記ブラシヘッドの中心軸が偏心するようになされるものであることを特徴とした。
【０００６】
また、請求項４の発明は、ブラシを植設した磁性体からなるブラシヘッドをマグネットを介してブラシホルダーに着脱するようにしたバリ取り用ブラシにおいて、前記ブラシホルダーは上板と下板とよりなり、前記上板には前記マグネットを固着し、前記下板には前記マグネットに対向して前記ブラシヘッドが装着可能でしかもその装着位置を規制する位置規制部材を有する装着孔を形成し、さらに前記上板と前記下板との間には緩衝部材を介在させ、前記ブラシヘッドを前記装着孔を介して前記マグネットに磁着させたときに、前記上板と前記下板とを離間させることによって、前記ブラシヘッドを前記ブラシホルダーから離脱するようにした。
【発明の効果】
【０００７】
請求項１から３の発明によれば、ブラシホルダーとブラシヘッドとの間に磨耗粉ミストが入り込んでも、ブラシホルダーに取り付けたカム部材を回転してブラシヘッドを押圧すれば、ブラシヘッドをブラシホルダーから強制的に離脱できるので、ブラシの交換を容易に行なうことができる。
【０００８】
また、請求項４の発明によれば、ブラシヘッドをマグネットに磁着させると、ブラシヘッドは、位置規制部材により上方への移動が規制されるとともに、マグネットの磁着によって生じた緩衝部材のわずかな弾縮反力により下方への移動が規制されてブラシホルダーに強固に装着される。ここでブラシホルダーの上板と下板との間に棒状体などを差し込んで上板と下板とを離間させれば、ブラシヘッドをブラシホルダーから強制的に離脱できるので、ブラシの交換を容易に行なうことができる。
【発明を実施するための最良の形態】
【０００９】
以下に、本発明の実施の形態について、実施例１と２に例示して説明する。
【実施例１】
【００１０】
本発明の請求項１から３に係るバリ取り用ブラシを図１〜３に沿って説明する。図１の１は、バリ取り用ブラシを進退動するための進退動軸で、この進退動軸１に取り付けた連結体２にブラシホルダー３がボルトで固定されている。ブラシホルダー３は、下板４とその上面に鍔付リング部材５が配され、さらにその上に上板６が配されたものとよりなり、ボルトによって上板６、鍔付リング部材５、下板４が連結されている。
【００１１】
ブラシ７は、砥材をナイロン樹脂で結合した線材を束ねたもので、金属性のブラシヘッド８に植設されている。このブラシヘッド８は前記下板４に設けた１５箇所の装着孔４ａにそれぞれ装入可能となっており、ブラシヘッド８を装入すると、後述のマグネット１４に磁着されるようになっている。
【００１２】
前記鍔付リング部材５の外周縁には、横穴が１５箇所穿設され、この横穴に鍔付ブッシュ９がそれぞれ嵌合されている。この鍔付ブッシュ９の先端外周には、その回り止めとして係止具１０が取り付けられている。また鍔付ブッシュ９には、先端にカム１１を有するアジャストピン１２が回転可能に装入され、アジャストピン１２の後端には、ナット１３が取り付けられている。つまり、ナット１３を廻すと、それとともにカム付アジャストピン１２も回転し、先端のカム１１が、下板４に装入されたブラシヘッド８を押圧してマグネット１４から離脱させるようになっている。
【００１３】
前記上板６には、凹部６ａが１５箇所形成され、マグネット１４がそれぞれボルトで取り付けられている。このマグネット１４は、ブラシヘッド８を下板４に装入したときに、ブラシヘッド８の中心軸とマグネット１４の中心軸が偏心するように取り付けられている。つまり、両者が偏心した位置関係で磁着されるようになっている。
【００１４】
前記進退動軸１の外周には、不図示のモータに接続された回転部材１５が配され、ガイド棒１６が４本ボルトで固定されている。このガイド棒１６は、上板６と下板４の貫通孔６ｂ、４ｂを通過し、その下端にはリング状の毛先保持板１７がボルトで固定されている。この毛先保持板１７には穴１８が形成され、各穴１８よりブラシ７の先端が突出するようになっている。
【００１５】
次にこのバリ取り用ブラシの動作説明をする。まず、新品のブラシ７をブラシホルダー３に装着する。次に進退動軸１を一定量下降させ、毛先保持板１７よりブラシ７を一定長突出させる。次に不図示のモータを起動して、回転部材１５を回転させる。すると、ガイド棒１６とともに毛先保持板１７も回転し、さらにガイド棒１６に連れ回りされてブラシホルダー３も回転してブラシ７が回転する。次にブラシ７の下方に不図示の対象ワークを置く。さらに不図示の駆動手段で、回転部材１５と進退動軸１を一体下降させ、対象ワークにブラシ７を当接させてバリ取り研磨を行なう。研磨が終了したら、回転部材１５と進退動軸１を一体上昇させ、ブラシ７を上方に退避させる。このようにしてバリ取り研磨を繰り返す。
【００１６】
ところでブラシは、研磨を繰り返す中で磨耗する。ブラシが磨耗したら、進退動軸１を一定量下降させ、再度、毛先保持板１７より一定長突出させて次の研磨に備える。こうしてブラシ７を使い続ければ交換時期になる。ブラシ７を交換するには、まず、ブラシホルダー３のナット１３を廻すと、先端のカム１１も回転してブラシヘッド８を押圧し、ブラシヘッド８がマグネット１４から離脱する（図３ｂ）。これを全てのブラシ７に対して行なう。ブラシヘッド８は毛先保持板１７の穴１８より小径なので、穴１８を介してブラシ７を着脱することに何ら支障はない。次にナット１３を回転してカム１１の位置を元に戻し、新しいブラシ７が植設されたブラシヘッド８を装着する（図３ａ）。こうして次の研磨に備えるわけである。
【００１７】
前記実施例では、マグネット１４の中心軸とブラシヘッド８の中心軸を偏心させてあるが、図４（ａ）のように、マグネット１４をさらに小径のものとして、両者を同心状に配することもできる。この場合、ブラシヘッド８の保持力は弱くなるが、さらに磁力の強いマグネット１４に置き換えれば問題ない。また同じく同心状に配した例として、図４（ｂ）のようにマグネット１４を三角柱状にしたり、図４（ｃ）のように立方体状のものとし、各マグネット１４の一辺よりブラシヘッド８がはみ出すように構成しても、ブラシヘッド８の着脱が可能である。
【実施例２】
【００１８】
次に本発明の請求項４に係るバリ取り用ブラシを図５、６に沿って説明する。図５の１は、バリ取り用ブラシの進退動軸で、この進退動軸１に取り付けた連結体２にブラシホルダー３の下板４がボルトで固定されている。ブラシホルダー３は、下板４と上板６とよりなり、下板４の上に小径緩衝部材１９を介して上板６が載置されている。
【００１９】
ブラシ７とブラシヘッド８は、前記実施例１と同様のもので、ブラシヘッド８は前記下板４に設けた装着孔４ａに装入可能となっており、さらに、この装着孔４ａには、ブラシヘッド８の装入位置を規制する段差状の位置規制部材４ｃが形成されている。また前記上板６には、凹部６ａが形成され、実施例１と同様のマグネット１４がボルトで取り付けられている。
【００２０】
前記進退動軸１の外周には、実施例１と同様の回転部材１５が配され、ガイド棒１６がボルトで固定されている。このガイド棒１６は、上板６の上に取り付けられたゴムから成る円筒状の大径緩衝部材２０と、上板６と、この上板と下板の間に配されたゴムから成る円筒状の小径緩衝部材１９と、下板４のそれぞれを貫通し、その下端にはリング状の毛先保持板１７がボルトで固定されている。この毛先保持板１７も実施例１と同様のものとなっている。
【００２１】
次にこのバリ取り用ブラシの動作説明をする。まず、新品のブラシ７をブラシホルダー３の下板４に装入すると、ブラシヘッド８がマグネット１４に磁着される。ブラシヘッド８はマグネット１４の吸着力で上方へ移動しようとするが、位置規制部材４ｃにより、それ以上、上方への移動が規制される。一方、上板６と下板４の間には小径緩衝部材１９が配されており、マグネット１４がブラシヘッド８を吸着することで、小径緩衝部材１９がわずかに弾縮し、この反力により、上板６及びマグネット１４の下方への移動が規制される。こうしてブラシヘッド８がブラシホルダー３に強固に装着されるわけである。
【００２２】
次に進退動軸１を下降させ、毛先保持板１７よりブラシ７を一定長突出させる。次に不図示のモータを起動して、回転部材１５を回転させると、ガイド棒１６、ブラシホルダー３、ブラシ７が回転する。次にブラシ７の下方に不図示の対象ワークを置く。さらに不図示の駆動手段で、回転部材１５と進退動軸１を一体下降させ、対象ワークにブラシ７を当接させてバリ取り研磨を行なう。研磨が終了したら、回転部材１５と進退動軸１を一体上昇させ、ブラシ７を上方に退避させる。このようにしてバリ取り研磨を繰り返す。
【００２３】
ブラシ７が磨耗し、ついに交換時期になったら、まず、ブラシホルダー３の上板６と下板４の隙間に図５のように棒状体Ｂを差し込み、上板６をテコの原理で押し上げると、上板６が離間し、これによりブラシヘッド８のマグネット１４による磁着が解放されてブラシヘッド８が離脱する。この動作を各ブラシヘッド８の付近で行なって、全ての磨耗したブラシ７を離脱させる。ところで、上板６を押し上げると、上板６が回転部材１５に衝突することが懸念されるが、本発明では上板６の上に大径緩衝部材２０を取り付けているので、たとえ衝突しても、上板６や回転部材１５が損傷することはない。この後、新しいブラシ７が植設されたブラシヘッド８を装着する。こうして次の研磨に備えるわけである。
【図面の簡単な説明】
【００２４】
【図１】本発明の実施例１の正面断面図
【図２】同じく図１のＡ矢視の平面図
【図３】実施例１のブラシヘッドの着脱状況を示した模式図
【図４】マグネットとブラシヘッドの他の実施形態を示した図
【図５】本発明の実施例２の正面断面図
【図６】同じく図５のＡ矢視の平面図
【図７】従来のバリ取り用ブラシの正面断面図
【符号の説明】
【００２５】
１    進退動軸
２    連結体
３    ブラシホルダー
４    下板
４ａ  装着孔
４ｂ  貫通孔
４ｃ  位置規制部材
５    鍔付リング部材
６    上板
６ａ  凹部
６ｂ  貫通孔
７    ブラシ
８    ブラシヘッド
９    鍔付ブッシュ
１０  係止具
１１  カム
１２  アジャストピン
１３  ナット
１４  マグネット
１５  回転部材
１６  ガイド棒
１７  毛先保持板
１８  毛先保持板の穴
１９  小径緩衝部材
２０  大径緩衝部材
【図１】
2008000853.tif 000003
【図２】
2008000853.tif 000004
【図３】
2008000853.tif 000005
【図４】
2008000853.tif 000006
【図５】
2008000853.tif 000007
【図６】
2008000853.tif 000008
【図７】
2008000853.tif 000009